(57)【要約】【課題】環境の変化に対応できる消臭システムを提供する。【解決手段】消臭システム１は、環境空気に含まれる臭気を消臭する消臭媒体を、当該環境に供給する消臭器１０と、環境の変化を検出する検出部２０と、検出部２０による検出結果に応じて、消臭器１０の動作モードを変更する制御部３０と、を有する。【選択図】図１
2018166945.tif 000002
【特許請求の範囲】
【請求項１】
環境空気に含まれる臭気を消臭する消臭媒体を、当該環境に供給する消臭器と、
前記環境の変化を検出する検出部と、
前記検出部による検出結果に応じて、前記消臭器の動作モードを変更する制御部と、
を有する消臭システム。
【請求項２】
前記検出部は、前記環境の変化として、前記環境中の前記臭気の量の変化を直接的または間接的に検出する請求項１に記載の消臭システム。
【請求項３】
前記検出部は、前記環境中の前記臭気自体を検出することによって、前記臭気の量の変化を検出する請求項２に記載の消臭システム。
【請求項４】
前記検出部は、前記環境中の前記臭気の発生源を検出することによって、間接的に前記臭気の量の変化を検出する請求項２に記載の消臭システム。
【請求項５】
前記検出部は、前記環境中の人を検出することによって、間接的に前記臭気の変化を検出する請求項２に記載の消臭システム。
【請求項６】
前記制御部は、前記検出部により検出された人から、前記環境中の人の数を特定し、当該人の数に応じて、前記消臭器の動作モードを変更する請求項５に記載の消臭システム。
【請求項７】
前記制御部は、前記検出部により検出された人から、前記環境中の人の性別および年齢の少なくとも一方を特定し、当該特定の結果に応じて、前記消臭器の動作モードを変更する請求項１に記載の消臭システム。
【請求項８】
前記制御部は、前記動作モードの変更として、前記消臭器により供給する前記消臭媒体の量を変更する請求項１〜７のいずれか一項に記載の消臭システム。
【請求項９】
前記制御部は、前記消臭媒体を前記環境に供給する際の風量を変更することによって、供給する前記消臭媒体の量を変更する請求項８に記載の消臭システム。
【請求項１０】
前記制御部は、前記動作モードの変更として、前記臭気の量が多い位置に前記消臭媒体が向かうように、前記消臭媒体の供給方向を変更する請求項２〜７のいずれか一項に記載の消臭システム。
【請求項１１】
前記制御部は、前記動作モードの変更として、前記消臭器により供給する前記消臭媒体の種類を変更する請求項１〜７のいずれか一項に記載の消臭システム。
【発明の詳細な説明】
【技術分野】
【０００１】
本発明は、消臭システムに関する。
【背景技術】
【０００２】
居室等の臭気を消臭する従来の装置として、ファンなどにより発生させた気流に芳香剤より発する芳香成分を混ぜた状態において気流を噴出し、芳香成分を居室内等に拡散させる装置がある（特許文献１を参照。）。
【先行技術文献】
【特許文献】
【０００３】
【特許文献１】特許第４６８５４２１号
【発明の概要】
【発明が解決しようとする課題】
【０００４】
特許文献１に記載された装置は、芳香成分を居室内等に一定の割合で拡散させることによって、特定の空間に存在する臭気を消臭する。特許文献１に記載された装置では、拡散する量が一定なので、空間内の環境が変化した場合に対応できない。たとえば、空間中の臭気の量が芳香成分を大きく上回った場合、臭気により不快な空間が形成されてしまう。逆に、臭気がほとんどないのに、芳香成分だけが拡散される場合、芳香成分が目立ってしまい、不自然な空間が形成されてしまう。
【０００５】
そこで、本発明は、環境の変化に対応できる消臭システムを提供することを目的とする。
【課題を解決するための手段】
【０００６】
消臭システムは、環境空気に含まれる臭気を消臭する消臭媒体を、当該環境に供給する消臭器と、前記環境の変化を検出する検出部と、前記検出部による検出結果に応じて、前記消臭器の動作モードを変更する制御部と、を有する。
【発明の効果】
【０００７】
消臭システムによれば、環境の変化に応じて、動作モードを変更するので、環境の変化に合致した消臭器の動作を実現できる。
【図面の簡単な説明】
【０００８】
【図１】本実施形態の消臭システムの概略構成を示す図である。
【図２】消臭器の斜視図である。
【図３】消臭器の分解斜視図である。
【図４】消臭器内の両方の部屋に空気が吸い込まれる様子を示す図である。
【図５】消臭器内の片方の部屋に空気が吸い込まれる様子を示す図である。
【図６】消臭システムの動作の流れを示すフローチャートである。
【発明を実施するための形態】
【０００９】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１０】
図１は、本実施形態の消臭システムの概略構成を示す図である。
【００１１】
消臭システム１は、消臭器１０、検出部２０および制御部３０を有する。
【００１２】
消臭器１０は、消臭システム１が適用される環境に設置される。消臭器１０は、内部に消臭剤を有し、環境から取り込んだ空気流により消臭剤から消臭媒体を発生し、環境に消臭媒体を供給する。消臭媒体は、臭気を消臭する作用を発揮する材料により形成される。消臭媒体は、臭気を消臭することができる限りにおいて特に限定されない。たとえば、消臭成分、芳香成分、イオン、オゾンの少なくとも１つを含むことができる。これらの消臭媒体を単独で使用してもよいし、たとえば、消臭成分と芳香成分とを組み合わせて使用することができる。芳香剤を使用する消臭法として、マスキング法、ペアリング消臭のいずれをも採用できる。マスキング法は、比較的強い香りにより、臭気を打ち消す方法であり、ペアリング消臭法は、比較的軽い香りにより臭気を消臭する方法である。
【００１３】
なお、本明細書において、「消臭」とは、文字通りの消臭のみならず、脱臭や除臭をも含み、人が不快と感じる臭気を低減することや、不快と感じない程度にまで消すこと、不快と感じない種類に変化させることを広く表す言葉として使用する。
【００１４】
消臭器１０の詳細な構成については、後述する。
【００１５】
検出部２０は、環境の変化を検出する。本実施形態では、検出部２０は、消臭システム１が適用される環境内を監視可能なカメラである。検出部２０は、レンズにより環境内の画像を取得し、制御部３０に送信する。
【００１６】
制御部３０は、消臭器１０および検出部２０を制御する。制御部３０は、検出部２０による検出結果に基づき、消臭器１０の動作モードを制御する。本実施形態では、制御部３０は、検出部２０により検出した画像から、環境内の人数を判断する。制御部３０は、検出部２０から送信される画像を逐次分析し、画像内の人の数を検出する。画像の分析においては、例えば、人の顔を認識し、認識した顔の数を、環境内の人数と判断する。画像の分析方法については、顔認識に限定されない。たとえば、画像内で動くもの、一定の大きさの物、一定の形状の物、輝度勾配等の特徴を抽出して、人と判断することもできる。本実施形態には、現状用いられるいかなる人検出方法も適用可能である。
【００１７】
制御部３０は、環境の変化として、環境中の人数の変化を監視し、当該変化に基づき、消臭器１０を制御する。制御部３０による具体的な動作については、後述する。制御部３０の動作の説明の前に、消臭器１０の構造について説明する。
【００１８】
図２は消臭器の斜視図、図３は消臭器の分解斜視図である。
【００１９】
図２および図３に示すように、消臭器１０は、筐体１２、回転吸気部１４、ファン１６および上蓋１８を有する。
【００２０】
筐体１２は、円筒状の回転吸気部１４を回転可能に保持する。筐体１２は、回転吸気部１４を保持する際に、当該回転吸気部１４内を仕切る隔壁１２０を有する。本実施形態では、隔壁１２０は、回転吸気部１４内を二部屋に分ける。隔壁１２０により仕切られた部屋の一方には、消臭剤４０が配置されている。本実施形態では、もう一方の部屋には、何も配置されていない。
【００２１】
回転吸気部１４は、円筒側面の半周に亘って、空気が通過可能な複数の吸入孔１４０が形成されている。回転吸気部１４は、吸入孔１４０が形成された円筒の内側に、不織布など埃や粒子を吸着したり、捕捉したりできるフィルターを備えてもよい。回転吸気部１４は、頂部１４２に円形の軸穴１４４が形成されている。軸穴１４４が、筐体１２の隔壁１２０の頂部に形成された円筒の突起１２２に嵌まると、回転吸気部１４は、突起１２２を中心として、回転できる。回転吸気部１４は、図示していない筐体１２中のモーターに接続されており、モーターの駆動により回転方向及び回転量が決定できる。回転吸気部１４の頂部１４２には、軸穴１４４以外にも、空気の流路となる通気孔１４６も形成されている。
【００２２】
ファン１６は、回転吸気部１４の頂部１４２上に位置するように設けられる。ファン１６は、回転翼１６２を有する。回転翼１６２が回転することにより、回転吸気部１４から空気を吸引する方向に気流を形成する。ファン１６は、上蓋１８内に収納される。
【００２３】
上蓋１８は、格納されるファン１６が形成する気流の排気位置に合わせて、複数の排出孔１８２を有する。
【００２４】
以上のように、消臭器１０は、ファン１６の回転により、回転吸気部１４の周囲から筐体１２内に吸気し、上蓋１８の上面に排気する。筐体１２内に吸い込まれた空気は、筐体１２内で隔壁１２０により分離された二部屋の少なくとも一方の部屋を通り、通気孔１４６からファン１６に排出される。ここで、少なくとも一方の部屋を通るというのは、回転吸気部１４の位置によって、空気の流路が切り換えられるからである。
【００２５】
空気の流路の切換について、さらに詳しく説明する。
【００２６】
図４は消臭器内の両方の部屋に空気が吸い込まれる様子を示す図、図５は消臭器内の片方の部屋に空気が吸い込まれる様子を示す図である。図４および図５では、消臭器１０を、上蓋１８を平面として見た様子を示しており、説明のため、回転吸気部１４および筐体１２の隔壁１２０以外の構成の図示を省略している。また、図４および図５において、回転吸気部１４の吸入孔１４０が形成されている範囲、すなわち、空気が流入できる範囲を、両矢印により示す。
【００２７】
図４に示すように、吸入孔１４０が配置される範囲が、隔壁１２０を跨ぐ場合、隔壁１２０の両側の二部屋いずれにも吸入孔１４０から空気が流入する。一方、図５に示すように、吸入孔１４０が配置される範囲が、隔壁１２０により分離される部屋の一方のみに亘る場合、一方の部屋には空気が流入され、他方の部屋には空気が流入されない。図５に示す例では、消臭剤４０が配置される部屋にのみ空気が流入する。
【００２８】
以上のように、回転吸気部１４を回転させて、吸入孔１４０が配置される位置を変更することによって、空気の流動経路を適宜変更できる。図４では、消臭剤４０が配置された部屋と、配置されていない部屋に半分（５０％）ずつ、空気が流入する場合を示し、図５では、消臭媒体が配置された部屋に全て（１００％）、空気が流入する場合を示した。しかし、回転吸気部１４の位置、すなわち、吸入孔１４０が配置される範囲を調整することによって、消臭剤４０が配置された部屋への空気の流入の割合を０〜１００％まで調整できる。以下では、回転吸気部１４の位置を調整して、消臭剤４０が配置された部屋に流入させる空気の割合をＸ％とすることを、「消臭剤４０にＸ％の空気を供給する」と表現する。
【００２９】
消臭剤４０が存在する部屋に通過する空気の量を調整することで、消臭剤４０から気化等により分散する消臭媒体の量を調整でき、結果として、消臭器１０から環境に供給する消臭媒体の量を調整できる。
【００３０】
次に、消臭システム１の動作について説明する。
【００３１】
図６は、消臭システムの動作の流れを示すフローチャートである。なお、本実施形態では、消臭システム１は、タバコの喫煙スペースに設置されているものとする。
【００３２】
検出部２０は、環境の変化の検出として、消臭システム１が設置された環境にいる人を検出する（ステップＳ１０１）。
【００３３】
制御部３０は、検出部２０により検出した人から人数（パラメーター）を特定し（ステップＳ１０２）、特定した人数に応じて、動作モードを変更する（ステップＳ１０３）。本実施形態では、動作モードの変更は、消臭器１０の回転吸気部１４の位置の変更である。たとえば、喫煙スペースの収容可能人数が１０人であるとする。そして、消臭剤４０に１００％の空気を供給したときに消臭器１０が環境内に供給する消臭媒体が、環境内で１０人がタバコを吸ったときに発生する臭気をちょうど消臭する場合を考える。すなわち、喫煙スペース内で１０人がタバコを吸ったときの臭気を、消臭剤４０に１００％の空気を供給すると発生する消臭媒体によりちょうど消臭できるように、消臭剤４０の成分や大きさ、空気の流入量等を予め設定しておいた場合を考える。この場合において、検出部２０により検出された人数が２人（パラメーター）の場合、制御部３０は、消臭剤４０に２０％の空気を供給するように、回転吸気部１４の位置を制御する。同様に、検出した人数が５人の場合は、図４に示すように、消臭剤４０に５０％の空気を供給するように、回転吸気部１４の位置を制御する。
【００３４】
本実施形態における消臭システム１によれば、以下の効果を奏する。
【００３５】
以上のように、本実施形態においては、環境内の人数の変化（環境の変化）に応じて、回転吸気部１４の位置（動作モード）を変更する。喫煙スペースにおいては、検出される人がタバコを吸っている蓋然性が高く、タバコから出る煙の量、すなわち、臭気の量を推定できる。したがって、消臭システム１は、環境内の人数が多くなれば、環境に供給される消臭媒体の量を多くし、少なくなれば、環境に供給される消臭媒体の量を少なく調整できる。さらに、誰も検出されない場合は、環境に供給される消臭媒体の量をゼロにすることもできる。したがって、環境内の臭気と消臭媒体との量を常にバランスさせられる。これにより、環境内の臭気を、必要量の消臭媒体により、消臭できる。確実な消臭効果が得られる。また、消臭剤４０が不必要に消費されることもなく経済的である。加えて、消臭媒体に香りがある場合でも、環境に必要以上に香りを供給することがなく、消臭媒体の存在が不自然に目立つことがない。
【００３６】
（検出部の変形例）
上記実施形態では、検出部２０がカメラであり、環境内の臭気の量の変化を、環境内の人数により間接的に検出していた。しかし、検出部２０は、カメラ以外の構成により、間接的または直接的に臭気の量の変化を検出することもできる。
【００３７】
以下の変形例１〜５は、環境中の臭気自体を検出することによって、直接的に臭気の量の変化を検出する検出部２０の変形例である。
【００３８】
変形例６〜１０は、環境中の臭気の発生源を検出することによって、間接的に臭気の量の変化を検出する検出部２０の変形例である。
【００３９】
変形例１１〜１８は、環境中の人を検出することによって、間接的に臭気の量の変化を検出する検出部２０の変形例である。
【００４０】
以下では、検出部２０の変形例１〜１８について説明する。
【００４１】
（検出部の変形例１）
変形例１においては、検出部２０は、臭気自体を検出する臭いセンサーである。具体的には、臭いセンサーは、たとえば、金属酸化物素子または有機半導体膜素子の誘電率の変化や、水晶振動子の周波数変化により、臭気の量の変化を検出する。他にも、臭いセンサーは、いかなる方式により臭いを検出してもよい。
【００４２】
（検出部の変形例２）
変形例２においては、検出部２０は、臭気を伴う煙を検出する煙センサーである。具体的には、煙センサーは、赤外線等により環境中の光の透過度を見て、煙の存在および量を確認できる。制御部３０は、煙の量から、臭気の量を特定できる。ただし、これ以外にも、一般的に使用されているいかなる煙センサーも検出部２０に適用できる。
【００４３】
（検出部の変形例３）
変形例３においては、検出部２０は、臭気に含まれる成分を検出するセンサーである。具体的には、たとえば、臭気の原因がタバコの煙である場合、タバコ由来で空気中に飛散する成分の量を検出する。タバコ由来の成分としては、たとえば、アセトアルデヒド、アルロレイン、ピリジン、環式芳香族炭化水素、ニコチン、１，３−ブタジエン、ベンゼン、トルエン、二酸化炭素等がある。制御部３０は、環境中のタバコ由来成分の量を検出することにより、臭気の量を特定できる。
【００４４】
さらに、検出部２０がタバコ由来の成分を検出するので、制御部３０は、検出された成分を分析することにより、タバコの種類も特定できる。
【００４５】
（検出部の変形例４）
変形例４においては、検出部２０は、温度センサーである。検出部２０は、煙による温度上昇を検出する。制御部３０は、予め、温度上昇と臭気の量（煙の量）の相関テーブルを有しており、当該テーブルを参照することによって、臭気の量を特定できる。この場合、検出部２０は、気流等により煙が当たる位置に配置されることが好ましい。
【００４６】
（検出部の変形例５）
変形例５においては、検出部２０は、湿度センサーである。検出部２０は、煙に含まれる蒸気による湿度上昇を検出する。制御部３０は、湿度上昇と臭気の量（煙の量）の相関テーブルを有しており、当該テーブルを参照することによって、臭気の量を特定できる。この場合、検出部２０は、気流等により煙が当たる位置に配置されることが好ましい。
【００４７】
（検出部の変形例６）
変形例６においては、検出部２０は、煙の発生源として、タバコを検出する。検出部２０は、たとえば、赤外線サーモグラフィの原理を利用して、赤外線によりタバコの先端の燃焼部分を検出する。この場合、検出した燃焼部分の数が、燃焼中のタバコの本数に相当する。燃焼中の１本のタバコから発生する臭気量を事前に測定（決定）しておけば、当該臭気量に、検出したタバコの本数を乗算することで、環境内の臭気量を間接的に特定できる。なお、電子タバコの場合、タバコの燃焼または加熱が筐体内で起こることもあるが、その場合、検出部２０は、筐体の発熱を検出する。
【００４８】
（検出部の変形例７）
変形例７においては、検出部２０は、タバコの吸殻の数を検出する。この場合、検出部２０は、たとえば、灰皿に設置された赤外線センサーや、重量センサーである。
【００４９】
検出部２０が赤外線センサーの場合、灰皿に投入された吸殻が落下する途中に、発光部と受光部を設ける。落下する吸殻が赤外線を遮断し、受光部への受光がなくなる回数を数えることによって、吸殻の数を検知できる。１本のタバコから発生する臭気量を事前に測定しておけば、当該臭気量に、検出したタバコの吸殻の数を乗算することで、環境内の臭気量を間接的に特定できる。
【００５０】
検出部２０が重量センサーの場合、灰皿の重量増加を検出することによって、吸殻の数を特定できる。この場合、吸殻の平均重量を予め測定（決定）しておけば、重量増加を吸殻の平均重量で除算して、吸殻の数を特定できる。
【００５１】
（検出部の変形例８）
変形例８においては、検出部２０は、電子タバコの発光部分を検出する。この場合、検出部２０は、画像認識できるカメラである。電子タバコは、一般的に、喫煙準備中、喫煙可能、喫煙終了のようなタイミングで、筐体の一部を点灯する。当該点灯を検出することによって、タバコを検出できる。点灯数に、１本のタバコから発生する臭気量を乗算することで、環境内の臭気量を間接的に特定できる。あるいは、喫煙準備中、喫煙可能、喫煙終了で点灯の色や、点灯の仕方（たとえば点滅など）など、点灯パターンが異なる場合、点灯パターン別に臭気の発生量を予め測定（決定）しておけば、より精度を高めて、臭気量を特定できる。
【００５２】
（検出部の変形例９）
変形例９においては、検出部２０は、電子タバコの筐体と通信可能な通信装置である。検出部２０は、電子タバコの筐体と通信することによって、環境内のタバコを検出できる。
【００５３】
（検出部の変形例１０）
変形例１０においては、検出部２０は、電子タバコの筐体の充電数を検出する。検出部２０は、電子タバコの筐体用の充電器に設けられており、充電器への給電を検出する。充電器の数は、タバコの数（あるいは人の数）と推定できるので、暫定的ではあるが、検出部２０は、環境内のタバコを検出できる。
【００５４】
（検出部の変形例１１）
変形例１１においては、検出部２０は、上記実施形態のように、人を検出する。検出部２０は、例えば、赤外線サーモグラフィの原理を利用して、赤外線により人の数を検出する。この場合、制御部３０は、人の数に、一人の人がタバコを吸って発生する臭気量を乗算することにより、間接的に環境内の臭気量を特定できる。
【００５５】
検出部２０は、カメラであってもよい。この場合、検出部２０は、カメラにより、環境の変化として環境内の画像を撮影する。制御部３０は、カメラにより検出された画像に基づいて、画像内に人がいるか判断する。たとえば、制御部３０は、画像から人の顔を認識したり、人の手足等の外形や大きさから人の体を認識したりできる。制御部３０は、画像から人を抽出空することによって、人の人数も特定できる。
【００５６】
（検出部の変形例１２）
変形例１２においては、検出部２０は、環境（喫煙スペース）に設けられた赤外線センサーである。赤外線センサーは、一組の発光部および受光部からなる。二組の赤外線センサーが、例えば、喫煙スペースの入口の外側と内側に２列に設けられる。喫煙スペースの外側の一組において、受光部による受光が遮断され、所定時間（たとえば１〜２秒）以内に、喫煙スペースの内側の一組において、受光部による受光が遮断された場合、人が入室したことを検出できる。逆に、先に内側の一組で遮断が起こり、続けて外側の一組で遮断が起こった場合、人が退室したことを検出できる。このようにして、入退室を検出することにより、環境内の人数を監視できる。制御部３０は、環境内の人数に、一人の人がタバコを吸って発生する臭気量を乗算することにより、間接的に環境内の臭気量を特定できる。
【００５７】
（検出部の変形例１３）
変形例１３においては、検出部２０は、カメラを用いて体表面の皮膚血流から脈派を検出したり、人体に電波を当てることで脈拍を測定したりする非接触の心拍センサーである。検出部２０は、人の心拍が発生している数を検出することによって、環境内の人数を検出できる。制御部３０は、検出した人数に、一人の人がタバコを吸って発生する臭気量を乗算することにより、間接的に環境内の臭気量を特定できる。
【００５８】
（検出部の変形例１４）
変形例１４においては、検出部２０は、臭いセンサーである。検出部２０は、人由来の臭い、たとえば、汗や脂の臭いを検出する。制御部３０は、人由来の臭いの量から、環境内の人数を推定し、一人の人がタバコを吸って発生する臭気量を乗算することにより、間接的に環境内の臭気量を特定できる。
【００５９】
（検出部の変形例１５）
変形例１５においては、検出部２０は、たとえば、圧電素子などの重量センサーである。この場合、検出部２０は、床に埋設される。床を踏んでいる人を検出することにより、環境内の人数を検出できる。制御部３０は、検出した人数に、一人の人がタバコを吸って発生する臭気量を乗算することにより、間接的に環境内の臭気量を特定できる。
【００６０】
（検出部の変形例１６）
変形例１６においては、検出部２０は、電磁波測定器である。近年、ほとんどの人が携帯電話、スマートフォン、タブレット等の携帯端末を保有している。携帯端末からは電磁波が発生しているので、検出部２０は、当該電磁波を検出する。制御部３０は、検出した電磁波の数を、環境内の人数と推定できる。
【００６１】
（検出部の変形例１７）
変形例１７においては、検出部２０は、騒音計である。検出部２０は、環境内の騒音レベルを測定する。制御部３０は、予め用意された騒音レベルと環境内の人数の相関テーブルに基づき、環境内の人数を推定できる。
【００６２】
（検出部の変形例１８）
変形例１８においては、検出部２０は、カメラであり、環境中の人の性別および年齢の少なくとも一方を検出する。具体的には、検出部２０は、環境内の画像を撮影する。制御部３０は、カメラにより検出された画像に基づいて、画像内に人がいるか判断する。たとえば、制御部３０は、画像から人の顔を認識したり、人の手足等の外形や大きさから人の体を認識したりできる。制御部３０は、さらに、認識した人の顔や体から、特徴を分析し、認識した人の性別および年齢の少なくとも一方を特定（推定）する。
【００６３】
以上の変形例１〜１８のように、実施形態以外にも、様々な態様の検出部２０が本発明に適用できる。
【００６４】
なお、上記実施形態および変形例１〜１８では、検出部２０が環境の変化を検出し、制御部３０が環境の変化を分析して、タバコの数や人の数等を特定している。しかし、これに限定されず、検出部２０に処理機能を搭載して、検出部２０において、タバコの数や人の数等の特定までしてもよい。
【００６５】
（消臭器の動作モードの変形例）
次に、消臭器１０の動作モードの変形例について説明する。
【００６６】
上記実施形態では、制御部３０は、動作モードの変更として、消臭剤４０に供給する空気の割合を変更することにより、環境に供給する消臭媒体の量を調整していた。しかし、制御部３０は、動作モードの変更として、別の形態により消臭媒体の量を調整したり、別の要素を変更したりすることができる。
【００６７】
以下では、制御部３０による消臭器１０の動作モードの変形例Ａ〜Ｃについて説明する。
【００６８】
（消臭器の動作モードの変形例Ａ）
変形例Ａにおいては、動作モードの変更として、上記実施形態と同様に、環境に供給する消臭媒体の量（濃度）を調整する。しかし、変形例Ａでは、実施形態のように、消臭剤４０に供給する空気の割合を変更しない。変形例Ａでは、消臭器１０内に二部屋を設けずに、一部屋だけとし、当該一部屋に消臭剤を配置する。すなわち、吸入孔から空気を吸い込めば１００％の空気が必ず消臭剤が配置された部屋を通ってから、消臭器１０の外部に排気される。一方で、変形例Ａでは、上記実施形態とは異なり、ファン１６の回転を可変とする。
【００６９】
検出部２０による検出結果に応じて、ファン１６の回転速度を変更する。たとえば、喫煙スペースに消臭システム１が配置されるとする。喫煙スペースの収容可能人数が１０名である場合で、検出結果から一人も特定されなかった場合、制御部３０は、消臭器１０のファン１６の回転を止める。すなわち、制御部３０は、環境に対し、消臭媒体を供給しない。一方、１０名が特定された場合、制御部３０は、ファン１６の単位時間当たりの回転数を最大とする。これにより、制御部３０は、収容可能人数が最大で、最も臭気が多い際には、最大限の量の消臭媒体を発生させ、環境に供給できる。また、５名が特定された場合、制御部３０は、ファン１６の単位時間当たりの回転数を最大の５０％とする。
【００７０】
このように、ファン１６の回転数を変えて、消臭器１０内の消臭剤に供給する風量を変えることによって、環境に供給する消臭媒体の量を変更できる。
【００７１】
あるいは、検出部２０によりタバコの吸殻が検出される場合、制御部３０は、吸殻の検出の度に所定時間だけ、ファン１６の回転数を単位時間当たりの最大回転数の１０％ずつ増加してもよい。ここで所定時間は、たとえば、タバコ一本から発生する臭気とバランスする消臭媒体を発生させられる時間である。所定時間が経過する前に、吸殻が連続して検出された場合は、ファン１６の単位時間当たりの回転数が最大回転数の１０％ずつ増加する。これにより、連続して臭気が増えた場合にも、環境に供給する消臭媒体の量も比例して増加でき、臭気をバランスのとれた量の消臭媒体により消臭できる。
【００７２】
（消臭器の動作モードの変形例Ｂ）
変形例Ｂにおいては、動作モードの変更として、臭気の量が多い位置に消臭媒体が向かうように、消臭媒体の供給方向を変更する。消臭媒体の供給方向の変更のために、消臭器１０は、排出孔の近傍に可動ハネ（不図示）を有する。可動ハネは、制御部３０により角度（姿勢）が変更可能である。たとえば、上蓋１８に対して垂直にハネが立つ場合、上蓋１８の真上に向かって消臭媒体が供給される。また、上蓋１８に対して３０度傾斜している場合、３０度斜め方向に消臭媒体が供給される。上蓋１８自体が水平に１８０度回動してもよい。このように構成すれば、上蓋１８から見て半球の範囲であれば、いずれの方向にも消臭媒体を供給できる。可動ハネや、上蓋１８は、ギア等を介してモーターに接続することにより自由に回転できる。
【００７３】
たとえば、上記の変形例２のように、赤外線センサーを環境内でスキャンして、煙の位置を特定できる場合、制御部３０は、特定した煙の位置に向かって消臭媒体が供給されるように、可動ハネや上蓋１８の回転位置を制御する。これにより、煙に含まれる臭気を、確実かつ効率的に消臭できる。
【００７４】
あるいは、検出部２０が変形例１や変形例３のようなセンサーである場合でも、検出部２０を環境内の複数の異なる位置に配置しておけば、制御部３０は、臭気（煙）が集まった場所を特定できる。臭気の位置が特定できれば、変形例Ｂの動作モードの変更を有効に活用できる。
【００７５】
（消臭器の動作モードの変形例Ｃ）
変形例Ｃにおいては、動作モードの変更として、消臭器１０により供給する消臭媒体の種類を変更する。消臭媒体の種類の変更のために、消臭器１０は、上記実施形態のように、複数の部屋を有する。実施形態では、二つの部屋のうち一方の部屋に消臭剤４０が配置されていたが、変形例Ｃでは、異なる部屋に異なる種類（香り）の消臭剤が配置される。そして、制御部３０は、吸入孔１４０から吸引した空気が通る部屋を変更することによって、異なる種類の消臭媒体を環境に供給できる。空気が通る部屋の変更は、実施形態と同様に、回転吸気部１４の位置を変更することにより可能である。
【００７６】
具体的には、たとえば、回転吸気部１４内で中心角が９０度の四分割された部屋が設けられており、回転吸気部１４の円周には９０度の範囲で吸入孔１４０が設けられているとする。この場合だと、いずれかの部屋にだけ、吸入孔１４０が臨むように、回転吸気部１４の位置を決めることができる。したがって、四つの部屋に異なる種類の消臭剤が配置されていれば、いずれの部屋に空気を流入させるかで、いずれの消臭剤から消臭媒体を発生させるか選択可能となる。
【００７７】
たとえば、変形例１８のように、制御部３０が環境内の人の性別や年齢を特定できる場合、性別や年齢による香りの好みの傾向に応じて、環境に供給する消臭媒体の香りを変更できる。環境内に女性が多ければ、バラなどのフローラル系の香りがする消臭媒体を発生させたり、環境内に男性が多ければ、柑橘系の香りがする消臭媒体を発生させたりできる。
【００７８】
また、たとえば、変形例１〜１７のように、臭気の量を特定できる場合でも、特定した臭気の量に応じて、供給する消臭媒体の香りを変更してもよい。この場合、たとえば、臭気の量が多ければ、香りが強いフローラル系の消臭媒体を発生させ、臭気の量が少ない場合は、香りがマイルドな柑橘系の消臭媒体を発生させる。
【００７９】
また、たとえば、変形例３のように、タバコの種類を検出できる場合、タバコの種類に応じて、供給する消臭媒体の香りを変更してもよい。この場合、タバコの種類によって、当該タバコの消臭に有効な消臭媒体を選択できる。
【００８０】
以上、上記実施形態および検出部の変形例１〜１８、動作モードの変形例Ａ〜Ｃのように、本発明は様々なバリエーションが考えられる。そして、上述のいかなる検出部のバリエーションは、いかなる動作モードのバリエーションとも、組合せが自在である。また、検出部として変形例１〜１８を組み合わせて使用したり、動作モードとして変形例Ａ〜Ｃを組み合わせて使用したりすることも可能である。
【符号の説明】
【００８１】
１        ：消臭システム、
１０      ：消臭器、
１２      ：筐体、
１４      ：回転吸気部、
１６      ：ファン、
１８      ：上蓋、
２０      ：検出部、
３０      ：制御部、
４０      ：消臭剤、
１２０    ：隔壁、
１２２    ：突起、
１４０    ：吸入孔、
１４２    ：頂部、
１４４    ：軸穴、
１４６    ：通気孔、
１６２    ：回転翼、
１８２    ：排出孔。
【図１】
2018166945.tif 000003
【図２】
2018166945.tif 000004
【図３】
2018166945.tif 000005
【図４】
2018166945.tif 000006
【図５】
2018166945.tif 000007
【図６】
2018166945.tif 000008